(57)【要約】【課題】  洗剤の銘柄が変更されたとしても、洗濯物の量に応じた最適な洗剤量を表示手段に表示させることができる洗濯機を提供する。【解決手段】  複数の洗剤銘柄、及び洗濯物の重量に応じた前記洗剤銘柄の最適な洗剤量を予めＲＯＭ１３ｂに記憶させると共に、表示パネル１５にこれらの情報を表示させるように構成する。これにより、使用者は、例え使用する洗剤の銘柄が変更したとしても、表示パネル１５に表示された複数の洗剤の銘柄の中から、自分の使用する銘柄を操作スイッチ１９にて設定するだけで、洗濯物の重量に応じた最適な洗剤量を容易に知り得ることができる。【選択図】  図１
2006025826.tif 000002
【特許請求の範囲】
【請求項１】
洗濯槽に投入された洗濯物の重量を測定する測定手段と、
この測定手段により測定された重量に応じて必要な投入すべき洗剤量を表示手段に表示させる制御手段と、
使用する洗剤の銘柄を設定する設定手段とを備え、
前記制御手段は、設定された銘柄に応じて表示手段に表示させる洗剤量表示の内容を変更することを特徴とする洗濯機。
【請求項２】
前記銘柄設定手段は、情報コードリーダを具備し、
前記制御手段は、その情報コードリーダにて洗剤のパッケージに記載された情報コードを読み取ることにより洗剤データを取得し、この取得した洗剤データと予め記憶手段に登録された洗剤データとを照合することを特徴とする請求項１記載の洗濯機。
【発明の詳細な説明】
【技術分野】
【０００１】
本発明は、洗濯時に必要な投入すべき洗剤量を表示手段にて表示させるようにした洗濯機に関する。
【背景技術】
【０００２】
洗濯機においては、従来より洗濯槽内に投入された洗濯物の重量を測定し、これにより得られた洗濯物の量に対し必要な洗剤量を表示手段に表示して使用者に知らせるように構成したものが知られている（例えば、特許文献１参照）。
【特許文献１】特願２００１−３６５８５３号公報
【発明の開示】
【発明が解決しようとする課題】
【０００３】
しかしながら、上記構成の洗濯機では以下に記すような欠点があった。即ち、洗濯に使用する洗剤には、配合成分が異なる様々な銘柄があるため、例え同じ洗濯物の重量であっても、使用する洗剤の銘柄によってその最適な洗剤量は変化するものである。従って、洗濯物の重量だけによって洗剤量を決定してしまうと、時に洗剤の過不足が起こってしまい、これに起因して洗剤が溶け残ってしまったり、或いは洗浄力が低下してしまったりするという事態が生じていた。
【０００４】
また、洗濯機の取扱説明書に、予め洗濯物の重量別に色々な銘柄の洗剤の最適な洗剤量が記載してある例もあるが、この場合でも、使用者は使用する洗剤の銘柄を変更する毎に、その都度前記取扱説明書を調べて最適な洗剤量を覚えなければならないという煩わしさがあった。
本発明は、上記事情に鑑みてなされたもので、その目的は、洗剤の銘柄が変更されたとしても、洗濯物の量に応じた最適な洗剤量を表示手段に表示させることができる洗濯機を提供することにある。
【課題を解決するための手段】
【０００５】
上記課題を解決するために、本発明の洗濯機は、洗濯槽に投入された洗濯物の重量を測定する測定手段と、この測定手段により測定された重量に応じて必要な投入すべき洗剤量を表示手段に表示させる制御手段と、使用する洗剤の銘柄を設定する設定手段とを備え、前記制御手段は、設定された銘柄に応じて表示手段に表示させる洗剤量表示の内容を変更することを特徴とする洗濯機（請求項１の発明）。
【発明の効果】
【０００６】
以上のように、本発明の洗濯機によれば、使用する洗剤の銘柄を設定するだけで最適な洗剤量が表示手段に表示され、例え洗剤の銘柄が変更されたとしても、使用者は最適な洗剤量を表示手段により容易に知ることができるので、洗濯運転において洗剤の過不足等を生じないようにすることができるという優れた効果を得られる。
【発明を実施するための最良の形態】
【０００７】
以下、本発明の第１の実施例を図１〜図９を参照して説明する。
まず、図２において、外箱１の内部には、水槽２が支持装置３により弾性支持されて水平状態に配設されている。この水槽２の内部には、これと同軸状態で洗濯槽、つまりドラム４が回転可能に配設されている。このドラム４は、周側壁及び後壁に通風孔を兼ねる脱水孔４ａ（一部のみ図示）を多数有するものであり、洗濯槽、脱水槽及び乾燥槽としても機能するものである。なお、ドラム４には、その開口縁部にバランスリング（図示せず）が設けられ、また内周面には複数のバッフル（図示せず）が設けられるものである。
【０００８】
上記外箱１、水槽２及びドラム４において、いずれも前面部（図２中、左側部）には、洗濯物出入れ用の開口部５、６及び７をそれぞれ有しており、そして開口部５と開口部６とは、弾性変形可能なベロー８によって水密に連通接続されている。また、外箱１の開口部５には、これを開閉する扉９が設けられている。また、前記ドラム４は、背面板に回転軸１０を有しており、この回転軸１０は、軸受（図示せず）に支持されて、ダイレクトドライブモータ（以下、ＤＤモータと称する。）１１によって回転駆動されるようになっている。このダイレクトドライブモータ１１は、駆動回路１２（図４参照）を介して、制御手段に相当する制御部１３（図４参照）に電気的に接続されるものである。
【０００９】
前記外箱１の前面上部には、図３に示すように、操作パネル部１４が設けられている。この操作パネル部１４において、その中央には表示手段に相当する液晶表示器からなる表示パネル１５が配設され、その右側には、「入」スイッチ１６、「切」スイッチ１７、設定手段に相当するカーソルスイッチ１８からなる操作スイッチ１９が配設されている。なお、前記カーソルスイッチ１８は、後述するカーソルを上下左右に移動可能な４つのカーソルボタン１８ａ〜１８ｄ及び工程の「スタート（選択）」、「ストップ」の機能を有する円形ボタン（スタートストップボタン）１８ｅを有している。また、前記操作パネル部１４において、その左側には、洗濯機の奥方へ挿入される洗剤ケース２０が収納されるようになっている。この洗剤ケース２０の収納部分には、当該洗剤ケースの２０の開閉状態の信号を出力する開閉センサ２１（図４参照）が設けられており、この開閉センサ２１は、制御部１３（図４参照）に電気的に接続されている。
【００１０】
また、前記操作パネル部１４の裏面（図２参照）には、図４に示すように、前述した制御部１３が設けられ、この制御部１３は前記操作パネル部１４（表示パネル１５、操作スイッチ１９）と電気的に接続されている。制御部１３は、マイクロコンピュータを主体としてＣＰＵ１３ａやＲＯＭ１３ｂ、ＲＡＭ１３ｃ等のメモリを備えて構成され、前記ＲＯＭ１３ｂには、マイクロコンピュータが実行する制御プログラムが格納されている。
【００１１】
また、前記水槽２には、当該水槽２への洗濯水の供給を制御するする給水弁２２（図４参照）、及び当該水槽２の洗濯水の下水への排出を制御する排水弁２３（図２、図４参照）がそれぞれ設けられており、これら給排水弁２２、２３は、前記制御部１３にそれぞれ電気的に接続されている。また、制御部１３には、図４に示すように、水位センサ２４及び回転センサ２５も電気的に接続さている。制御部１３は、前記操作スイッチ１９、水位センサ２４からの入力信号に基づき、駆動回路１２を介して前記ダイレクトドライブモータ１１、給水弁２２、排水弁２３をそれぞれ駆動制御するものである。
【００１２】
次に、このように構成された洗濯機における洗濯時の流れを図１及び図５〜図９を参照して説明する。まず、使用者は、前記扉９を開放し、これによりドラム４内に洗濯物を投入する。そして、使用者が、図５（ａ）に示すように、操作スイッチ１９の「入」スイッチ（電源スイッチ）１６ａを押圧操作することにより洗濯機の電源を投入すると、図１中のステップＳ１として、表示パネル１５において、当該表示パネル１５内の上方に「いつものお洗濯」、「いろいろな設定」、「もどる」の文字（表記）、更にこれらの文字の下方に「洗い」、「すすぎ」、「脱水」、「乾燥」の文字、そしてこれらの各文字の下方に位置して４つの「おまかせ」の文字がそれぞれ表示される、いわゆる初期画面が表示される。なお、前記各「おまかせ」の文字は、前記「洗い」、「すすぎ」、「脱水」、「乾燥」のそれぞれに対応する洗濯運転の状態を示すものであり、前記洗濯運転の状態によっては、例えば後述する「早洗い」や「削除」等といった文字に変更されるものである。また、この初期画面においては、表示パネル１５中の左上方の「いつものお洗濯」にカーソルＣが位置しているもので、このカーソルＣは、前記カーソルボタン１８ａ〜１８ｄによって前記表示パネル１５内の各文字を移動可能となっている。
【００１３】
前述のように、電源が投入されると、制御部１３は、ステップＳ２に移行して、操作スイッチ１６からの洗濯運転の変更操作信号、例えば洗い運転時間、すすぎ運転時間の変更、或いは乾燥運転の削除等の信号を検出しないときは、ステップＳ３に移行する。そして、使用者によって、図５（ａ）に示す、カーソルスイッチ１８の中央部の円形ボタン１８ｅが押圧されると、前記制御部１３はこれを検出して、ステップＳ４へと移行し、洗濯物の重量の測定をすると共に、図５（ｂ）に示すように、表示パネル１５の報知パネル１５ａに「計測中」の文字を表示するようになる。このとき、報知パネル１５ａの「計測中」の文字は網掛け状態となり、使用者に対する視認性を向上させる。
【００１４】
前記洗濯物の重量の測定において、制御部１３は、例えばＤＤモータ１０を正方向に駆動する一定電力を「所定時間（例えば０．１ｓｅｃ）のオン、及び所定時間（例えば０．５ｓｅｃ）のオフ」の一定パターンで設定回数（例えば５回）だけ繰返し、その後、前記ＤＤモータ１０を設定時間だけ断電することに基いてＤＤモータ１０の惰性回転を停止させ、そしてＤＤモータ１０を逆方向に駆動する一定電力の供給を「所定時間（例えば０．２ｓｅｃ）のオン、及び所定時間（０．５ｓｅｃ）のオフ」の一定パターンで設定回数（例えば５回）だけ繰返すような駆動制御を行う。
【００１５】
このような駆動制御において、制御部１３は同モータ１０を一定の重量検出パターンで駆動しながら回転センサ２５からの回転信号の出力回数を加算しており、出力回数の加算結果Ｎを複数の設定値Ｎｋと比較する。そして、「加算結果Ｎ＞Ｎｋ」であるか、或いは「加算結果Ｎ≦Ｎｋ」であるかの判断にて洗濯物の量における大小（数段階に分けられるものである。）を検知するものである。なお、ＤＤモータ１１及び回転センサ２５により測定手段が構成されている。
【００１６】
このように洗濯物の重量が測定されると、前記制御部１３は、この検知信号を前記ＲＯＭ１３ｂに記憶された洗濯物重量データに照会して、図１中、ステップＳ５へ移行し、これにより本洗濯運転に必要な水量を設定すると共に、図５（ｃ）に示すように、前記洗濯物の重量に応じた洗剤の量を読出して前記表示パネル１５の報知パネル１５ａ、１５ｂに、例えばそれぞれ「銘柄Ａ」、「１杯」と表示する。このとき、「銘柄Ａ」、「１杯」の文字は網掛け状態となり、使用者に対する視認性を向上させる。ここで、前記「銘柄Ａ」は、例えば前回使用した洗剤の銘柄（一般的には、日常的に使用している銘柄である。）であり、「１杯」とは、例えばその「銘柄Ａ」の洗剤のパッケージに備え付けてある洗剤用スプーン（図示せず）にて「１杯」の量の洗剤であるということをさすものである。使用者は、前記表示を見て、自分が使用する洗剤の銘柄と、表示パネル１５に表示されている洗剤の銘柄が同種か否かを判断すると共に、本洗濯物に対して最適な洗剤量を知ることができる。
【００１７】
その後、制御部１３は、ステップＳ６へ移行して、操作スイッチ１９からの変更操作、例えば洗剤の銘柄の変更操作の信号が検出されないときは、ステップＳ７に移行する。そして、使用者は、前記表示パネル１５に表示された「銘柄Ａ」の洗剤を、前記洗剤用スプーンで「１杯」だけすくい、前記洗剤ケース２０を引き出して開状態としから前記洗剤をこの洗剤ケース２０に投入する。このとき、制御部１３は、開閉センサ２１から洗剤ケース２０が開状態となったという信号を検出するとステップＳ８へと移行する。
【００１８】
その後、使用者が洗剤ケース２０を押し戻して閉状態とすると、制御部１３は開閉センサ２１からの閉状態となったという信号を検出し、所定時間（例えば、５秒）の経過をカウントしてから、ステップＳ９に移行して、洗濯運転を開始する。この洗濯運転の開始に際して、制御部１３は、まず給水弁２２を開放させて洗濯水を水槽２内に供給するようになり、この洗濯水と共に洗剤ケース２０内の洗剤が水槽２内に投入される。そして、制御部１３は、水位センサ２１からの信号により、水槽１内の水位が前記設定された水量になったことを検出すると、給水弁２２を閉塞させ、洗い運転を開始させる。
【００１９】
その後、制御部１３は、ステップＳ１０に移行して、図５（ｄ）に示すように、報知パネル１５ａ、１５ｂに、洗濯運転の「残り時間」の文字と、具体的時間としての「１：２０（１時間２０分）」の文字（数字）とを表示する。このとき、表示パネル１５内の前記カーソルＣは、前記「いつものお洗濯」の文字から、「洗い」、「すすぎ」、「脱水」、「乾燥」の４箇所の文字に移るものであり、更に洗い運転中は、「洗い」の文字が、網掛け状態となり、使用者に対する視認性を向上させる。
【００２０】
ところで、図１のステップＳ２において、使用者が洗濯運転の内容、例えば洗い運転時間、すすぎ運転時間の変更、或いは乾燥運転の削除等を行いたいときは、図６（ａ）に示すような、表示パネル１５の初期画面において、４つのカーソルボタン１８ａ〜１８ｄのうち、右側のカーソルボタン１８ｂを押圧して、図６（ｂ）に示すように、カーソルＣを「いつものお洗濯」から「いろいろな設定」に移動させ、この状態で更に円形ボタン１８ｅを押圧すると、図６（ｃ）に示すように、「お好みの洗濯方法」、「使用する洗剤」の文字が表示される。このとき、最初、カーソルＣは、「お好みの洗濯方法」に位置している。また、制御部１３は、前記操作スイッチ１９（カーソルボタン１８ｂ）からの変更操作信号を検出するため、ステップＳ１１に移行する。
【００２１】
そして、使用者は、カーソルＣが前述のように、「お好みの洗濯方法」に位置している状態で円形ボタン１８ｅを押圧すると、図６（ｄ）に示すように、「洗い」、「すすぎ」、「脱水」、「乾燥」の各文字の下方に「短縮」、「延長」、「削除」、「訂正」の各文字が表示される。このとき、最初、カーソルＣは、「洗い」に位置している。ここで、使用者が、例えば洗い運転の時間を短縮し、更に乾燥運転を削除するように操作したいとすると、以下のようになる。
【００２２】
即ち、前記カーソルＣが「洗い」の位置にあるときに、円形ボタン１８ｅを押圧すると、図７（ｅ）に示すように、「洗い」の文字が網掛け状態となると共に、報知パネル１５ａにも網掛け状態となった「洗い」が表示されるようになり、その後、カーソルＣが自動的に下方の「短縮」に移動する。そして、今回は使用者が洗い運転の時間を短縮したいので、前記カーソルが「短縮」の位置にある状態で、円形ボタン１８ｅを押圧すると、図７（ｆ）に示すように、前記「短縮」の文字も網掛け状態となると共に、報知パネル１５ａにおいて、前記「洗い」の下方の報知パネル１５ｂに網掛け状態の「短縮」の表示がされるようになり、これにより使用者は前記変更操作によって、洗い運転が、短縮されたことを認識する。
【００２３】
更に、図示はしないが、乾燥運転を削除する場合、図７（ｆ）のように「洗い」、「短縮」が網掛け状態にあるときにおいて、カーソルＣを「もどる」の位置ではなく、「乾燥」の位置に移動させて円形ボタン１８ｅを押圧することにより前記「乾燥」の文字を網掛け状態とし、その後、カーソルＣを「削除」の位置まで移動させて、円形ボタン１８ｅを押圧することにより、「削除」も網掛け状態として、これにより使用者は、乾燥運転が削除されたことを認識する。
【００２４】
上記操作の後、使用者は、図７（ｆ）に示すように（この図７（ｆ）では、前記「乾燥」、「削除」の網掛け状態は、説明の便宜上、図示していない。）、カーソルＣを「もどる」の位置に移動させて円形ボタン１８ｅを押圧し、更に図７（ｇ）に示すように、「お好みの洗濯方法」、「使用する洗剤」の画面にもどる。このとき、報知パネル１５ａの「短縮」、「削除」の表示は消去される。そして、前記図７（ｇ）の「お好みの洗濯方法」、「使用する洗剤」の画面おいても、更に「もどる」にカーソルＣを移動させて円形ボタン１８ｅを押圧して、初期画面に戻る。
【００２５】
このとき、初期画面は、制御部１３によって前記変更操作が反映されているので、図７（ｈ）に示すように、「洗い」、「すすぎ」、「脱水」、「乾燥」の下方には各運転に対応させて、「早洗い（前記「洗い」の「短縮」のことをさす。）」、「おまかせ」、「おまかせ」、「削除」の文字がそれぞれ表示されると共に、制御部１３はステップＳ３へと移行する。
【００２６】
また、図１のステップＳ６において、使用者が洗剤の銘柄の変更、例えば銘柄Ａから銘柄Ｆへの変更を行いたいときは、図８（ａ）に示す（前記図５（ｃ）と同じ状態である。このような、表示パネル１５の画面（ステップＳ１〜ステップＳ５を経てきているので、報知パネル１５ａ、１５ｂには、既に「銘柄Ａ」、「１杯」が表示されているものである。）において、４つのカーソルボタン１８ａ〜１８ｄのうち、右側のカーソルボタン１８ｂを押圧して、図８（ｂ）に示すように、カーソルＣを「いつものお洗濯」から「いろいろな設定」に移動させ、この状態で更に円形ボタン１８ｅを押圧すると、図８（ｃ）に示すように、「お好みの洗濯方法」、「使用する洗剤」の文字が表示される。このとき、制御部１３は、前記操作スイッチ１６（カーソルボタン１８ｂ）からの変更操作信号を検出するため、ステップＳ６からステップＳ１２へと移行する。
【００２７】
そして、使用者は、右側のカーソルボタン１８ｂを押圧して、カーソルＣを「使用する洗剤」に移動させ、この状態で円形ボタン１８ｅを押圧すると、図８（ｄ）に示すように、「銘柄Ａ」〜「銘柄Ｌ」の各文字が並べて表示される。このとき、最初、カーソルＣは、「銘柄Ａ」に位置するようになっているが、図８（ｄ）では、説明の便宜上、「銘柄Ａ」にはカーソルＣを位置させていない。そして、使用者は、４つのカーソルボタン１８ａ〜１８ｄのうち、右側のカーソルボタン１８ｂ、及び下側のカーソルボタン１８ｃをそれぞれ順番に押圧して（前述のように、最初、カーソルＣは「銘柄Ａ」に位置しているからである。）、図８（ｄ）に示すように、カーソルＣを「銘柄Ｆ」へと移動させる。すると、制御部１３は、ステップＳ１３として、報知パネル１５ａ、１５ｂに対して、「銘柄Ａ」、「１杯」の文字に替えて、網掛け状態の「銘柄Ｆ」、及び投入された洗濯物に対する前記「銘柄Ｆ」の最適な洗剤量「０．８杯」を表示させる。
【００２８】
使用者は、図９（ａ）を経た後の図９（ｆ）に示す状態で、円形ボタン１８ｅを押圧して、表示された杯数の洗剤（「銘柄Ｆ」）を洗剤ケース２０に投入して、当該洗剤ケース２０を閉状態とすると、制御部１３は、ステップＳ７、ステップＳ８に移行して、これにより洗濯運転が開始されるものである。
このように構成された第１の実施例によれば、まず、洗剤の銘柄を設定するだけで、洗濯物の重量に応じた最適な洗剤量が表示パネル１５に表示されるので、使用者は、いちいち前記重量に応じて洗剤のパッケージの説明を調べる煩わしさから解消される。
【００２９】
また、例え洗剤の銘柄が変更されたとしても、その都度最適な洗剤量が表示されるので、洗濯運転における洗剤の過不足を生じさせないようにすることができる。更に、洗剤の銘柄を変更する場合、既に多くの洗剤の銘柄がＲＯＭ１３ｂに記憶されているので、洗剤の銘柄を設定する作業も極力少なくすることができる。
また、報知パネル１５ａ、１５ｂ等においては、網掛け状態の表示を行った。このため、使用者は、自分が選択している文字（表記）、或いは自分が行っている変更操作の内容等を認識しやすくなる。
【００３０】
また、洗剤ケース２０が閉状態となってから、所定時間経過後に洗濯運転を開始する構成とした。このため、洗剤の入れ忘れを防止することができる。
次に、本発明の第２の実施例について、図１０〜図１４を参照して説明する。なお、上記第１の実施例と同様な箇所には同符号を付し、その詳細な説明は省略する。
図１０に示すように、洗濯機の表示パネル部１４において、その右下端部には情報コードリーダに相当するバーコードリーダ３０が前記表示パネル部１４と面一状態となるように埋め込まれている。このバーコードリーダ３０は、図１１に示すように、前記制御部１３と電気的に接続される構成となっていると共に、内部に発光部（図示せず）が配設されることにより発光し、これにより洗剤のパッケージに記載された情報コード、例えばバーコードを読取ることが可能となっている。
【００３１】
使用者は、図１２に示すように、ステップＳ６において、洗剤の銘柄の変更を行いたいときは、図１３（ａ）に示す（前記図５（ｃ）と同じ状態である。）ような、表示パネル１５の画面（ステップＳ１〜ステップＳ５を経てきているので、報知パネル１５ａ、１５ｂには、既に「銘柄Ａ」、「１杯」が表示されているものである。）において、４つのカーソルボタン１８ａ〜１８ｄのうち、右側のカーソルボタン１８ｂを押圧して、図１３（ｂ）に示すように、カーソルＣを「いつものお洗濯」から「いろいろな設定」に移動させる。このとき、制御部１３は、前記操作スイッチ１９（カーソルボタン１８ｂ）からの変更操作信号を検出するため、ステップＳ６からステップＳ２０へと移行する。
【００３２】
そして、この状態で更に円形ボタン１８ｅを押圧すると、図１３（ｃ）に示すように、洗剤の選択方法である、「リストから選ぶ」、「バーコードから選ぶ」、「数値を入力する」の文字がそれぞれ表示される。このとき、最初、カーソルＣは、「リストから選ぶ」に位置するものだが、図１３（ｃ）では、説明の便宜上、「リストから選ぶ」にはカーソルＣを位置させていない。そして、使用者は、４つのカーソルボタン１８ａ〜１８ｄのうち、下側のカーソルボタン１８ｃを押圧して（前述のように、最初、カーソルＣは「リストから選ぶ」に位置しているからである。）、図１３（ｃ）に示すように、カーソルＣを「バーコードから選ぶ」へと移動させる。
【００３３】
使用者は、この状態で円形ボタン１８ｅを押圧すると、表示パネル１５には、図１３（ｄ）に示すように、「バーコードリーダでお使いの洗剤のパッケージのバーコードを読んでください。」という文字が表示される。この表示がなされたら、使用者は、洗剤のパッケージに印刷してあるバーコード（図示せず）を、図１０にも示すような、バーコードリーダ３０にかざして前記バーコードリーダ３０に前記バーコードを読取らせ、これにより制御部１３は、ステップＳ２０として前記洗剤の洗剤データを取得する。
【００３４】
そして、制御部１３は、ステップＳ２１として、この洗剤データと、記憶手段に相当するＲＯＭ１３ｂに予め記憶された既存洗剤データ（登録済みの洗剤データ）とを照合（バーコード照合）し、ステップＳ２２として、合致する洗剤データ、例えば「銘柄Ｘ」があれば、図１４（ｅ）に示すように、「バーコードリーダの読取りが終わりました。お使いの洗剤は、銘柄Ｘですね。よろしければ、中央の○ボタン（円形ボタン１８ｅのこと。）を押してください。違う場合には、もう一度バーコードを読んでください。」との文字を表示パネル１５に表示させる。このとき、制御部１３は、「銘柄Ｘ」における最適な洗剤量「０．５杯」を、報知パネル１５ａ、１５ｂにそれぞれ網掛け状態で表示させる。
【００３５】
使用者は、使用する洗剤の銘柄と、表示パネル１５に表示された洗剤の銘柄が合致していれば（この場合は、「銘柄Ｘ」。）、前記図１４（ｅ）に示す状態で、円形ボタン１８ｅを押圧すると、制御部１３は、ステップＳ７に移行する。
ところで、ステップＳ２２において、バーコードリーダ３０にて読取られた洗剤データが、ＲＯＭ１３ｂに記憶された既存洗剤データに存在しないときには、制御部１３はステップＳ２３に移行する。すると、表示パネル１５には、図１４（ｆ）に示すように、「おそれいりますが、お使いの洗剤データがありません。洗剤のパッケージをごらんになり、次のいずれかでデータを設定してください。」の文字と、この文字の下方に「水量に対する使用量」、「衣類重量に対する使用量」の文字とがそれぞれ表示されると共に、報知パネル１５ａには、「データなし」の文字が網掛け状態で表示される。このとき、カーソルＣは、「水量に対する使用量」の文字に位置している。
【００３６】
このとき、使用者が、例えば洗剤のパッケージを見て「水量に対する（洗剤の）使用量」にて洗剤量を設定しようとする場合は、前記カーソルＣが「水量に対する使用量」に位置した状態で、円形ボタン１８ｅを押圧する。すると、表示パネル１５は、図１４（ｇ）に示すように、例えば「水量」が３０Ｌ（３０リットル）に対する洗剤の「使用量」が、それぞれ「３３ｇ」〜「２０ｇ」の間での文字にて表示されると共に、「カップ数（いわゆる、洗剤のパッケージに備え付けてある洗剤用スプーンでの杯数）」もそれぞれ「１．２杯」〜「０．９杯」の間での文字が表示されるようになる。なお、このような一連の操作でＲＯＭに記憶される洗剤の銘柄は「いつものＡ（図１４（ｇ）でも表示している。）」とされる。
【００３７】
使用者は、前記「使用量」や「カップ数」の各文字と、洗剤のパッケージとをそれぞれ見比べて、前記パッケージに記載された最適な洗剤量を把握し、それを４つのカーソルボタン１８ａ〜１８ｄにて選択する。図１４（ｇ）において、最初、カーソルＣは「３０Ｌ」、「３３ｇ」の文字（数字）の位置にある（説明の便宜上、図示せず）ので、使用者は、例えば「３０Ｌ」、「１．２杯」の文字（数字）に移動させたい場合には、右側のカーソルボタン１８ｂを押圧する。この状態で、使用者が円形ボタン１８ｅを押圧すると、制御部１３は、「いつものＡ」、「３０Ｌ」、「１．２杯」の洗剤データをＲＡＭ１３ｃ（バックアップ電源有り）に記憶させる。
【００３８】
そして、制御部１３は、上記洗剤データを基に検出した洗濯物の重量に応じた洗剤スプーン（備え付けの洗剤スプーン）の杯数を演算するものであり、例えば洗濯物の重量が水量３０Ｌに相当する場合には、報知パネル１５ａ、１５ｂに「いつものＡ」、「１．２杯」の文字を網掛け状態で表示させ、ステップＳ７へと移行する。
また、図示はしないが、使用者が、例えば洗剤のパッケージを見て「衣類重量に対する使用量」にて洗剤量を設定しようとする場合は、図１４（ｆ）の状態で、４つのカーソルボタン１８ａ〜１８ｄのうち、右側のカーソルボタン１８ｂを押圧して、カーソルＣを「衣料重量に対する使用量」に位置させて、円形ボタン１８ｅを押圧する。すると、表示パネル１５には、例えば前記図１４（ｇ）における「水量」の文字が「衣類重量」（図示せず）の文字に替わり、更にこれに対応した「使用量」、或いは「カップ数」がそれぞれ表示されるものである。
【００３９】
なお、図１３（ｃ）において、使用者によって、「リストから選ぶ」が選択された場合は、図示しないが、表示パネル１５に複数の洗剤の銘柄の文字が表示（例えば、図８（ｄ）参照）されるものである。また、「数値を入力する」が選択された場合は、こちらも図示しないが、例えば洗剤のパッケージに記載された洗濯物の重量に応じた最適な洗剤量（数値等）を、４つのカーソルボタン１８ａ〜１８ｄや円形ボタン１８ｅ等を使用して、直接入力するものである。
【００４０】
このように構成された第２の実施例によれば、上記第１の実施例と同様な効果を得られると共に、洗剤の銘柄の変更を、バーコードリーダ３０によりバーコードを読取ることにより行えるので、前記銘柄の変更を一層容易に行うことができる。
なお、上記第２の実施例においては、情報コードとしてバーコード、いわゆる１次元コードを用いたが、これに限定されるものではなく、２次元コード及び２次元コードリーダを用いる構成としてもよい。
【００４１】
なお、上記第１及び２の実施例においては、既存洗剤データに記憶されていない洗剤の銘柄は、制御部１３によって「いつものＡ」として設定されたが、これに限定されるものではなく、図示はしないが、例えば表示パネル１５に平仮名（「あ」〜「ん」）やアルファベット（「Ａ」〜「Ｚ」）等の文字をそれぞれ表示し、使用者は４つのカーソルボタン１８ａ〜１８ｄ、及び円形ボタン１８ｅを使用して前記平仮名やアルファベットの文字をいくつか選択することにより、所望の洗剤の銘柄名を設定できるような構成としてもよい。
【００４２】
また、上記第１及び第２の実施例において、使用者は変更操作を操作スイッチ１９にて行い、また洗剤量等の変更操作を使用者に対して表示パネル１５の表示にて知らせるように構成したが、変形例として、例えば図１５に示すように、制御部１３に対して音声出力部（いわゆる、スピーカ）４０、及び音声入力認識部（いわゆる、マイク）４１をそれぞれ電気的に接続し、これにより前記音声入力認識部４１を介して使用者の声により前記変更操作を行なったり、或いは前記音声出力部４０を介して、前記変更操作を使用者に知らせるような構成としてもよい。
【００４３】
また、本発明の洗濯機は、ドラムが縦型に適用したり、傾斜型に適用したり、適用する洗濯機は要旨を逸脱しない範囲で適宜変更可能である。
【図面の簡単な説明】
【００４４】
【図１】本発明の第１の実施例を示すもので、洗濯運転のフローチャート
【図２】洗濯機の一部破断断面図
【図３】洗濯機の正面図
【図４】電気的構成を示すブロック線図
【図５】（ａ）〜（ｄ）は、図１のステップＳ１〜ステップＳ１０の流れに沿う表示パネルの正面図
【図６】（ａ）〜（ｄ）は、図１のステップＳ１１の流れに沿う図５相当図
【図７】（ｅ）〜（ｈ）は、図６相当図
【図８】（ａ）〜（ｄ）は、図１のステップＳ１２及びＳ１３の流れに沿う図５相当図
【図９】（ｅ）及び（ｆ）は、図８相当図
【図１０】本発明の第２の実施例を示す図３相当図
【図１１】図４相当図
【図１２】図１相当図
【図１３】（ａ）〜（ｄ）は、図１０のステップＳ２０〜Ｓ２３の流れに沿う図５相当図
【図１４】（ｅ）〜（ｇ）は、図１３相当図
【図１５】変形例を示すもので、図４相当図
【符号の説明】
【００４５】
図面中、４はドラム（洗濯槽）、１１はＤＤモータ（測定手段）、１３は制御部（制御手段）、１３ａはＣＰＵ（記憶手段）、１３ｂはＲＯＭ（記憶手段）、１３ｃはＲＡＭ（記憶手段）、１５は表示パネル（表示手段）、１８はカーソルスイッチ（設定手段）、２５は回転センサ（測定手段）である。
【図１】
2006025826.tif 000003
【図２】
2006025826.tif 000004
【図３】
2006025826.tif 000005
【図４】
2006025826.tif 000006
【図５】
2006025826.tif 000007
【図６】
2006025826.tif 000008
【図７】
2006025826.tif 000009
【図８】
2006025826.tif 000010
【図９】
2006025826.tif 000011
【図１０】
2006025826.tif 000012
【図１１】
2006025826.tif 000013
【図１２】
2006025826.tif 000014
【図１３】
2006025826.tif 000015
【図１４】
2006025826.tif 000016
【図１５】
2006025826.tif 000017